(57)【特許請求の範囲】
【請求項１】
出力電圧が正常範囲に有るか否かを示すパワーグッド信号を出力するパワーグッド信号出力部を有する複数のＤＣＤＣコンバータと、
予め定められた起動順序及び停止順序に基づき、各前記ＤＣＤＣコンバータの起動、停止を行う電源シーケンス回路と、を含み、
最前段以外の前記ＤＣＤＣコンバータは、前段の前記ＤＣＤＣコンバータの前記パワーグッド信号の状態が、正常範囲に有る旨の状態になると、起動し、正常範囲に無い旨の状態になると、電圧出力を停止し、
最前段の前記ＤＣＤＣコンバータは、前記電源シーケンス回路の指示に基づき起動し、最後段の前記ＤＣＤＣコンバータの前記パワーグッド信号が、正常範囲に有る旨の状態から正常範囲に無い旨の状態に遷移すると電圧出力を停止し、
各前記ＤＣＤＣコンバータに対し、１つの論理回路が設けられ、
最前段以外の前記ＤＣＤＣコンバータに対応する前記論理回路は、前段の前記ＤＣＤＣコンバータの前記パワーグッド信号と、前記電源シーケンス回路から出力されるイネーブル信号を受け、２つの信号の論理積がとれるとき、対応する前記ＤＣＤＣコンバータを動作させる旨の信号を出力し、論理積がとれないとき、対応する前記ＤＣＤＣコンバータを停止させる旨の信号を出力し、
最前段以外の前記ＤＣＤＣコンバータは、対応する前記論理回路の出力信号に基づいて動作することを特徴とする電源装置。
【請求項２】
各前記ＤＣＤＣコンバータは、出力に異常が生ずるとラッチオフするラッチオフ部を含み、
前記パワーグッド信号出力部は、前記ラッチオフ部がラッチオフを行うと、正常範囲に無い旨の前記パワーグッド信号を出力することを特徴とする請求項１記載の電源装置。
【請求項３】
主電源投入後、まず最前段の前記ＤＣＤＣコンバータを動作させる旨の信号を、次に、最後段の前記ＤＣＤＣコンバータの前記パワーグッド信号が、正常範囲に有る旨の状態に成った後、正常範囲に無い旨の状態に変化したとき、最前段の前記ＤＣＤＣコンバータを停止させる旨の信号を、最前段の前記ＤＣＤＣコンバータに対応する前記論理回路に出力する最前段停止部を有し、
最前段の前記ＤＣＤＣコンバータに対応する前記論理回路は、前記最前段停止部の出力信号と、前記電源シーケンス回路から出力されるイネーブル信号を受け、論理積がとれると、前記ＤＣＤＣコンバータを動作させる旨の信号を出力し、論理積がとれないとき前記ＤＣＤＣコンバータを停止させる旨の信号を出力することを特徴とする請求項１又は２に記載の電源装置。
【請求項４】
前記最前段停止部は、フリップフロップであることを特徴とする請求項３記載の電源装置。
【請求項５】
請求項１乃至４のいずれか１項に記載の電源装置を含むことを特徴とする画像形成装置。
【請求項６】
請求項１乃至４のいずれか１項に記載の電源装置を含む基板を複数含み、
各前記基板は、いずれかの前記基板と通信可能に接続され、通信可能に接続された前記基板と通信できなくなったとき、通信できなくなった基板の異常を検知することを特徴とする請求項５記載の画像形成装置。
【発明の詳細な説明】
【技術分野】
【０００１】
本発明は、複数のＤＣＤＣコンバータを含む電源装置に関する。又、この電源装置を含むプリンタ、複写機、複合機、ファクシミリ装置等の画像形成装置に関する。
【背景技術】
【０００２】
複写機、複合機、ファクシミリ装置等の画像形成装置などには、多様な電気部品、電子部品が搭載される。これらの電気、電子部品には、駆動に必要な電圧の大きさ（の範囲）が予め定められる。そのため、画像形成装置には、コンセントから供給された商用電源から、複数種の電圧を生成する電源装置が搭載される場合がある。このような、入力電圧を変換して異なる複数種の電圧を出力する電源装置の一例が特許文献１に記載されている。
【０００３】
具体的に、特許文献１には、各々が異なる負荷に対する電力供給を行う複数の電源回路を備え、電源装置に対する電力の供給および停止の切り替えを行うリセットスイッチと、複数の電源回路各々に対応して設けられた個々の電源回路に対する電力の供給および停止の切り替えを行う複数のスイッチ素子と、電源装置の複数の位置に設置された異常を検出する複数の動作検出部と、動作検出部からの検出信号に基づいて異常判定処理を実行する異常監視部と、異常監視部からの制御信号に基づいてリセットスイッチを駆動するリセットスイッチ駆動部と、異常監視部からのスイッチ素子を特定した制御信号に基づいて複数のスイッチ素子を選択的に制御するスイッチ制御回路とを有し、異常監視部は動作検出部からの検出信号に基づく異常判定を条件とした異常判定処理シーケンスを実行し、異常判定処理シーケンスにおいてリセットスイッチおよび複数のスイッチ素子を選択的に制御して異常発生箇所を特定するため の処理を実行する電源装置が記載されている。この構成により、ユーザまたはオペレータによる異常の発生箇所の検出処理を実行することなく、異常発生箇所を特定し、最適な電源遮断および異常通知を行おうとする（特許文献１：請求項１、段落００２７等参照）。
【先行技術文献】
【特許文献】
【０００４】
【特許文献１】特開２００４−２８２８９３号公報
【発明の概要】
【発明が解決しようとする課題】
【０００５】
例えば、基板には様々なデバイス（例えば、ＣＰＵ、ＬＳＩ、ＡＳＩＣ、メモリ、チップ、ＩＣなどの回路や素子）が実装される。そして、駆動電圧は、デバイスごとに異なる場合がある。このような場合、基板を動作させるには、複数種の電圧を用意する必要がある。そのため、出力電圧が異なる複数個のＤＣＤＣコンバータを組み合わせた電源装置を設けることがある。このような電源装置は、基板に付随して設けられる（例えば、基板内に設けられる）。
【０００６】
そして、順序を守らないと、ＤＣＤＣコンバータの出力を受けて駆動するデバイスの誤動作や破損などが生ずる場合があるため、基板内のデバイスには電力の供給順や遮断順が決められる。そして、予め定められた起動／遮断の順序に従い、各ＤＣＤＣコンバータは順序立てて起動され、停止される。言い換えると、各ＤＣＤＣコンバータの駆動のＯＮ／ＯＦＦを正確にコントロールすることが求められる場合がある。
【０００７】
一方で、電源装置内のＤＣＤＣコンバータのうち、一部のＤＣＤＣコンバータで出力異常が生ずる場合がある（例えば、過電流や出力停止等）。尚、ＤＣＤＣコンバータには、何らかの出力異常が生ずると、出力を停止させるラッチオフ回路が、保護回路として、搭載されることも多い。
【０００８】
ここで、ＤＣＤＣコンバータの起動／遮断の順序を予め定めるように、複数のＤＣＤＣコンバータを含む電源装置で、一部のＤＣＤＣコンバータが停止したものの、他のＤＣＤＣコンバータが動作していると、ＤＣＤＣコンバータの出力を受けて駆動するデバイスの誤動作や破損が生ずる場合がある。
【０００９】
しかし、従来、電源装置のうち、一部のＤＣＤＣコンバータで出力異常が発生しても、全てのＤＣＤＣコンバータを停止させるようにはなっていないという問題がある。そのため、デバイスの誤動作や破損が生ずる場合があるという問題がある。
【００１０】
尚、特許文献１記載の発明をみると、スイッチ素子の制御により、電源遮断は行われるものの、複数のＤＣＤＣコンバータを組み合わせたような電源装置で、一部で出力異常が発生したとき、全てのＤＣＤＣコンバータを停止させるものではない。又、特許文献１記載の発明は、異常発生箇所を特定するため、構成が複雑である（スイッチ素子、リセットスイッチ、動作検出部や、異常監視部、スイッチ制御回路など）。複数のＤＣＤＣコンバータのうち、一部で出力異常が発生したとき、電源装置の全体を停止させるには大かがりであり、設置スペース、コスト等の点を考慮すると、現実的ではない。従って、特許文献１記載の発明では、上記の問題を解決することはできない。
【００１１】
本発明は、上記従来技術の問題点に鑑みてなされたものであり、電源装置内の複数のＤＣＤＣコンバータのうち、一部で出力異常が発生したとき、確実に全ＤＣＤＣコンバータを停止させ、誤動作や、デバイスの破損を防ぐことを課題とする。
【課題を解決するための手段】
【００１２】
上記課題を解決するため、請求項１に係る電源装置は、出力電圧が正常範囲に有るか否かを示すパワーグッド信号を出力するパワーグッド信号出力部を有する複数のＤＣＤＣコンバータと、予め定められた起動順序及び停止順序に基づき、各前記ＤＣＤＣコンバータの起動、停止を行う電源シーケンス回路と、を含み、最前段以外の前記ＤＣＤＣコンバータは、前段の前記ＤＣＤＣコンバータの前記パワーグッド信号の状態が、正常範囲に有る旨の状態になると、起動し、正常範囲に無い旨の状態になると、電圧出力を停止し、最前段の前記ＤＣＤＣコンバータは、前記電源シーケンス回路の指示に基づき起動し、最後段の前記ＤＣＤＣコンバータの前記パワーグッド信号が、正常範囲に有る旨の状態から正常範囲に無い旨の状態に遷移すると電圧出力を停止し、各前記ＤＣＤＣコンバータに対し、１つの論理回路が設けられ、最前段以外の前記ＤＣＤＣコンバータに対応する前記論理回路は、前段の前記ＤＣＤＣコンバータの前記パワーグッド信号と、前記電源シーケンス回路から出力されるイネーブル信号を受け、２つの信号の論理積がとれるとき、対応する前記ＤＣＤＣコンバータを動作させる旨の信号を出力し、論理積がとれないとき、対応する前記ＤＣＤＣコンバータを停止させる旨の信号を出力し、最前段以外の前記ＤＣＤＣコンバータは、対応する前記論理回路の出力信号に基づいて動作することとした。
【００１３】
この構成によれば、最前段以外のＤＣＤＣコンバータは、前段のＤＣＤＣコンバータのパワーグッド信号の状態が、正常範囲に無い旨の状態になると、電圧出力を停止し、最前段のＤＣＤＣコンバータは、最後段のＤＣＤＣコンバータのパワーグッド信号が、正常範囲に有る旨の状態から正常範囲に無い旨の状態に遷移すると電圧出力を停止する。これにより、電源装置内のいずれかのＤＣＤＣコンバータで出力異常が生じると、一段ずつ停止し、最後段に至ると最前段に戻り、１段ずつ停止してゆく。従って、最終的に、全てのＤＣＤＣコンバータが停止し、一部のＤＣＤＣコンバータが停止しても他のＤＣＤＣコンバータが動作し続けることによるデバイスの誤動作や破損を防ぐことができる。
【００１４】
更に、いずれかのＤＣＤＣコンバータで出力異常が発生したとき、ソフトウェア的な制御によってではなく、電源装置内のハードウェア構成に基づき、全てのＤＣＤＣコンバータを停止させることができる。例えば、暴走、故障等によりソフトウェア的な制御が無効な状態でも、安全、確実に全てのＤＣＤＣコンバータを停止させることができる。尚、各ＤＣＤＣコンバータにおける「前段」、「後段」の関係は、パワーグッド信号の伝達経路からみて定められたものである。また、最前段以外のＤＣＤＣコンバータに対応する論理回路は、前段のＤＣＤＣコンバータのパワーグッド信号と、電源シーケンス回路から出力されるイネーブル信号を受け、２つの信号の論理積がとれるときＤＣＤＣコンバータを動作させる旨の信号を出力し、論理積がとれないときＤＣＤＣコンバータを停止させる旨の信号を出力する。これにより、全てのＤＣＤＣコンバータの出力に異常がなく、予め定められた順番で通常どおり各ＤＣＤＣコンバータの起動、遮断を行えばよいとき、誤動作やデバイスの破損がないように、電源シーケンス回路は、各ＤＣＤＣコンバータの起動／停止を行える。
【００１５】
又、請求項２に係る発明は、請求項１の発明において、各前記ＤＣＤＣコンバータは、出力に異常が生ずるとラッチオフするラッチオフ部を含み、前記パワーグッド信号出力部は、前記ラッチオフ部がラッチオフを行うと、正常範囲に無い旨の前記パワーグッド信号を出力することとした。
【００１６】
この構成によれば、パワーグッド信号出力部は、ラッチオフ部がラッチオフを行うと、正常範囲に無い旨のパワーグッド信号を出力する。これにより、ＤＣＤＣコンバータは、過電圧（過電流）や出力停止など、出力異常が生ずると、出力を停止し、ＤＣＤＣコンバータから電力を受けて動作するデバイスを保護することができる。又、出力電圧が正常範囲に無い旨のパワーグッド信号が出力されることにより、１段ずつ全てのＤＣＤＣコンバータの出力を停止させることができる。
【００１９】
又、請求項３に係る発明は、請求項１又は２の発明において、主電源投入後、まず最前段の前記ＤＣＤＣコンバータを動作させる旨の信号を、次に、最後段の前記ＤＣＤＣコンバータの前記パワーグッド信号が、正常範囲に有る旨の状態に成った後、正常範囲に無い旨の状態に変化したとき、最前段の前記ＤＣＤＣコンバータを停止させる旨の信号を、最前段の前記ＤＣＤＣコンバータに対応する前記論理回路に出力する最前段停止部を有し、最前段の前記ＤＣＤＣコンバータに対応する前記論理回路は、前記最前段停止部の出力信号と、前記電源シーケンス回路から出力されるイネーブル信号を受け、論理積がとれると、前記ＤＣＤＣコンバータを動作させる旨の信号を出力し、論理積がとれないとき前記ＤＣＤＣコンバータを停止させる旨の信号を出力することとした。
【００２０】
この構成によれば、最前段のＤＣＤＣコンバータに対応する論理回路は、最前段停止部の出力信号と、電源シーケンス回路から出力されるイネーブル信号を受け、論理積がとれると、ＤＣＤＣコンバータを動作させる旨の信号を出力し、論理積がとれないときＤＣＤＣコンバータを停止させる旨の信号を出力する。これにより、いずれかのＤＣＤＣコンバータの出力異常で、最後段のＤＣＤＣコンバータが停止すると、最前段のＤＣＤＣコンバータに戻り、最前段のＤＣＤＣコンバータから順に、停止してゆく。従って、確実に全てのＤＣＤＣコンバータが停止される。
【００２１】
又、請求項４に係る発明は、請求項３の発明において、前記最前段停止部は、フリップフロップであることとした。
【００２２】
この構成によれば、最前段停止部は、フリップフロップである。これにより、最前段停止部は、ハードウェアであって、簡易、安価、堅牢なフリップフロップとされる。従って、一部のＤＣＤＣコンバータで出力異常があったとき、確実に全てのＤＣＤＣコンバータを停止させるようにすることができる。
【００２３】
又、請求項５に係る画像形成装置は、請求項１乃至４のいずれか１項に記載の電源装置を含むこととした。
【００２４】
この構成によれば、画像形成装置は、上述の電源装置を含む。これにより、いずれかのＤＣＤＣコンバータで出力異常が生じても、一段ずつ停止し、最後段に至ると最前段から１段ずつ停止してゆき、最終的に、全てのＤＣＤＣコンバータが停止する電源装置を含ませることができる。従って、電源装置のＤＣＤＣコンバータが生成する電圧で駆動する基板やデバイスの誤動作や破損のない画像形成装置を提供することができる。
【００２５】
又、請求項６に係る画像形成装置は、請求項１乃至４のいずれか１項に記載の電源装置を含む基板を複数含み、各前記基板は、いずれかの前記基板と通信可能に接続され、通信可能に接続された前記基板と通信できなくなったとき、通信できなくなった基板の異常を検知することとした。
【００２６】
この構成によれば、各基板は、いずれかの基板と通信可能に接続され、通信可能に接続された基板と通信できなくなったとき、通信できなくなった基板の異常を検知する。これにより、電源装置の一部に異常があり、全体が停止した基板の異常を検知することができる。これにより、故障要因を容易に特定でき、修理、点検しやすい画像形成装置を提供することができる。
【発明の効果】
【００２７】
上述したように、電源装置に含まれる複数のＤＣＤＣコンバータのうち、一部で出力異常が発生したとき、確実に全ＤＣＤＣコンバータを停止させることができる。従って、電源装置や画像形成装置の誤動作や、デバイスの破損を防ぐことができる。
【図面の簡単な説明】
【００２８】
【図１】実施形態に係る複合機の概略構造を示す模型的正面断面図である。
【図２】実施形態に係る複合機のハードウェア構成の一例を示すブロック図である。
【図３】実施形態に係る複合機の電力供給系統の一例を示すブロック図である。
【図４】実施形態に係る電源装置の一例を示すブロック図である。
【図５】実施形態に係る電源装置の正常動作時の動作の一例を示すタイミングチャートである。
【図６】実施形態に係る電源装置の出力異常発生時の動作の一例を示すタイミングチャートである。
【発明を実施するための形態】
【００２９】
以下、本発明の実施形態に係る電源装置１、画像形成装置を図１〜図６を用いて説明する。以下では、画像形成装置として複合機１００を例に挙げて説明する。但し、本実施の形態に記載されている構成、配置等の各要素は、発明の範囲を限定するものではなく単なる説明例にすぎない。
【００３０】
（複合機１００の概要）
まず、図１に基づき、本発明の実施形態に係る複合機１００を説明する。図１は、本発明の実施形態に係る複合機１００の概略構造を示す模型的正面断面図である。
【００３１】
図１に示すように、本実施形態の複合機１００は、上部に画像読取部２Ａ、さらに、上方に原稿搬送部２Ｂが装着される。又、機体内には、給紙部３Ａ、搬送路３Ｂ、画像形成部４Ａ、定着部４Ｂを備える。又、破線で示すように、複合機１００の正面上部に操作パネル２Ｃが備えられる。
【００３２】
まず、原稿搬送部２Ｂには、使用者が複写を行おうとする各種、各サイズの原稿が載置される。そして、操作パネル２Ｃに複写設定や画像データの送信設定等が入力され、ジョブが開始されると、原稿搬送部２Ｂは、原稿を１枚ずつ分離し、原稿搬送部２Ｂの下方に設けられる画像読取部２Ａによる送り読取用コンタクトガラス２１に向けて搬送する。
【００３３】
画像読取部２Ａは、内部に、露光ランプ、反射板、ミラー、レンズ、イメージセンサ（不図示）等が設けられ、送り読取用コンタクトガラス２１を通過する原稿を光学的に読み取り、画像データを得る。尚、原稿搬送部２Ｂは、図１の紙面奥側に支点を有し、持ち上げ可能であり、画像読取部２Ａの上面の載置読取用コンタクトガラス２２に書籍等の原稿を１枚ずつ載置して原稿の読み取りを行うことも可能である。
【００３４】
給紙部３Ａは、画像形成部４Ａに向けて用紙を供給する。給紙部３Ａは、各サイズの用紙等の用紙が収納されるカセット３１（図１で上方のものに３１Ａ、下方のものに３１Ｂの符号を付す）を含む。又、給紙部３Ａの各カセット３１は、用紙を１枚ずつ搬送路３Ｂに送り出す給紙ローラ３２（図１で上方のものに３２Ａ、下方のものに３２Ｂの符号を付す）等を備える。
【００３５】
例えば、使用者が、操作パネル２Ｃで使用する用紙（用紙）のサイズを選択し、スタートキーを使用者が押すと、モータ（不図示）等により給紙ローラ３２が回転駆動し、用紙が搬送路３Ｂに供給される。搬送路３Ｂは、用紙を、画像形成部４Ａ、定着部４Ｂを経て排出トレイ３３まで搬送する。搬送路３Ｂには、ガイド（不図示）、複数の搬送ローラ対３４〜３７等が設けられる。
【００３６】
画像形成部４Ａは、搬送路３Ｂよって搬送されてきた用紙に対して所定の画像形成を行う。具体的に、画像形成部４Ａは、図１中に示す矢印方向に回転可能に支持された感光体ドラム４１、感光体ドラム４１の周囲に配設された帯電装置４２、現像装置４３、露光装置４４、転写ローラ４５、クリーニング装置４６を備える。
【００３７】
感光体ドラム４１は、画像形成部４Ａの略中心に設けられ、所定方向に回転駆動される。まず、感光体ドラム４１の右上方の帯電装置４２は、感光体ドラム４１の表面を所定電位に均一に帯電させる。帯電装置４２の右方の露光装置４４は、画像読取部２Ａで読み取られた画像データ等に基づき、レーザ光を出力し、感光体ドラム４１を走査露光する。その結果、静電潜像が感光体ドラム４１表面に形成される。感光体ドラム４１の右下方の現像装置４３は、静電潜像に向けトナーを供給する。その結果、静電潜像はトナー像として現像される。感光体ドラム４１の左下方に設けられる転写ローラ４５と感光体ドラム４１との間ではニップが形成され、このニップを用紙が通過するとき、感光体ドラム４１上のトナー像が用紙に転写される。クリーニング装置４６は、転写後の感光体ドラム４１の表面を清掃する。
【００３８】
定着部４Ｂは、用紙に転写されたトナー像を定着させる。本実施形態の定着部４Ｂは、主として、発熱体を内蔵する加熱ローラ４７と、加熱ローラ４７に圧接してニップを形成する加圧ローラ４８とで構成される。そして、トナー像の転写された用紙が、このニップを通過することで、トナーが溶融・加熱され、トナー像が用紙に定着する。
【００３９】
（複合機１００のハードウェア構成）
次に、図２に基づき、本発明の実施形態に係る複合機１００のハードウェア構成の一例を説明する。図２は、本発明の実施形態に係る複合機１００のハードウェア構成の一例を示すブロック図である。
【００４０】
図２に示すように、本実施形態に係る複合機１００は、主制御部５（主制御基板）を有する。主制御部５は、装置全体の動作を統括し、複合機１００の各部の制御を司る。そして、主制御部５には、例えば、中央演算処理装置としてメインＣＰＵ５１（図３参照）などが設けられる。又、主制御部５は、例えば、ＲＯＭやＲＡＭ等のメモリ５２や画像処理部５３などの素子、回路を実装する（詳細は後述）。
【００４１】
又、主制御部５は、原稿の読取に関し、原稿を搬送する原稿搬送部２Ｂや、原稿を読み取る画像読取部２Ａと通信可能に接続される。主制御部５は、原稿搬送部２Ｂや画像読取部２Ａに指示を与える。この指示を受けて、原稿搬送部２Ｂは、原稿の搬送を、画像読取部２Ａは、原稿読取を実際に制御する。
【００４２】
又、主制御部５は、操作パネル２Ｃとも通信可能に接続される。例えば、操作パネル２Ｃには、液晶表示部２３の表示を制御し、又、各種ハードキー（スタートキー等）の押下を認識し、タッチパネル部２４の出力電圧に基づき、押下位置（座標）を検知する表示制御部２５が設けられる。そして、操作パネル２Ｃになされた設定内容を示すデータは、主制御部５に送られ、主制御部５は、使用者の設定どおりに動作するように、複合機１００を制御する。
【００４３】
又、主制御部５は、記憶装置としてのＨＤＤ５４等と通信可能に接続される。ＨＤＤ５４は、画像データの記憶やプログラム、各種管理データを記憶する（例えば、数十Ｇバイト以上）。ＨＤＤ５４は、主制御部５が制御のため実行するプログラムや、装置固有の各種パラメータなどの各種制御用データを記憶してもよい。
【００４４】
又、主制御部５は、用紙搬送や印刷を実際に制御するエンジン制御部４０と通信可能に接続される。主制御部５は、印刷や給紙の指示をエンジン制御部４０に与える。この指示を受け、エンジン制御部４０は、給紙部３Ａ、搬送路３Ｂ、画像形成部４Ａ、定着部４Ｂ等を制御して、各種回転体（搬送ローラ対３４〜３７や感光体ドラム４１等）を回転させ、用紙搬送や画像形成に関しての制御を行う。
【００４５】
又、複合機１００は、外部との通信インターフェイスとしての通信部５０を含む。通信部５０は、例えば、外部のコンピュータ２００（例えば、パーソナルコンピュータ）と、ネットワークやケーブルにより、通信可能に接続される。そのため、通信部５０は、例えば、コネクタ、通信制御用のＣＰＵやチップを含む（詳細は後述）。そして、複合機１００は、コンピュータ２００等から画像データ等を含む印刷用データを受け印刷を行うことができる（プリンタ機能）。又、画像読取部２Ａでの読み取りで得られた画像データ等を複合機１００からコンピュータ２００に送信できる（スキャナ機能）
【００４６】
又、通信部５０には、モデムや、画像データのファクシミリに対応した形式への変換や、受信データの伸張のための回路、チップ等を含ませ、相手方ＦＡＸ装置３００と通信を行えるようにすることができる（ＦＡＸ機能）。
【００４７】
又、主制御部５は、複合機１００に内蔵される１次電源部ＰＷ１と通信可能に接続され、１次電源部ＰＷ１の動作を制御することができる。
【００４８】
（電力供給系統）
次に、図３を用いて、本発明の実施形態に係る複合機１００での電力供給系統の一例を説明する。図３は、本発明の実施形態に係る複合機１００の電力供給系統の一例を示すブロック図である。尚、図３において、電力の流れを白抜矢印で示している。
【００４９】
まず、１次電源としての１次電源部ＰＷ１は、メインスイッチＭＳがＯＮされると商用電源と接続される。使用者は、１次電源部ＰＷ１と商用電源との接続、遮断をメインスイッチＭＳで行える。例えば、メインスイッチＭＳは、複合機１００の側面等に設けられ、使用者の操作によって、機械的に１次電源部ＰＷ１と商用電源の接続、遮断を切り替える。尚、メインスイッチＭＳは機械式のスイッチに限られず、１次電源部ＰＷ１と商用電源の接続、遮断を行えればよい。
【００５０】
そして、１次電源部ＰＷ１は、整流回路や平滑回路等を有し、商用電源が接続されると直流電圧を出力する（例えば、モータ駆動用のＤＣ２４Ｖや、制御部などを駆動させるためのＤＣ５Ｖ）。尚、モータ駆動用の電圧の配線については、便宜上、図示を省略する。
【００５１】
そして、１次電源部ＰＷ１は、複合機１００内の各種基板に応じて設けられる電源装置１に直流電圧を入力する。詳細は後述するが、電源装置１は、複数のＤＣＤＣコンバータ１０を組み合わせ、各基板で必要とされる電圧を複数種生成する。尚、生成すべき電圧の個数の差により、基板でのＤＣＤＣコンバータ１０の個数は、異なり得る。
【００５２】
例えば、主制御部５内には、メインＣＰＵ５１や、制御用プログラムやデータを記憶するＲＯＭやＲＡＭからなるメモリ５２や、チップや集積回路からなる画像処理部５３といった、デバイス（素子、部品、回路、各種ＩＣなど）が設けられる。画像処理部５３は、例えば、画像処理専用の回路（例えばＡＳＩＣ）や画像処理用メモリ等（不図示）を含む。そして、画像処理部５３は、例えば、濃度変更や拡大縮小等の各種画像処理を画像データに施す。尚、画像処理部５３が行える画像処理は多岐にわたるので、公知の複合機１００に関する画像処理をおこなえるものとして、実行可能な画像処理の詳細の説明は省略する。
【００５３】
この主制御部５（主制御基板）に対して、電源装置１が設けられる。そして、本実施形態の複合機１００では、メインＣＰＵ５１、メモリ５２、画像処理部５３などの各デバイスを駆動させるうえで必要な電圧が異なる（例えば、ＤＣ３．３Ｖ、２．５Ｖ、１．８Ｖ、１．２Ｖなど）。又、例えば、コア用とＩ／Ｏ用というように、メインＣＰＵ５１に、複数種の駆動電圧を与える場合もある。
【００５４】
そこで、主制御部５の電源装置１は、１次電源部ＰＷ１が生成する電圧（例えば、ＤＣ５Ｖ）を変換して、複数種の電圧を生成する。そして、生成された複数種の電圧が対応するデバイスに与えられる。
【００５５】
又、図３に示すように、例えば、エンジン制御部４０内には、エンジンＣＰＵ４０１、制御用のプログラムやデータを記憶するＲＯＭやＲＡＭを含むメモリ４０２や、ＡＳＩＣ４０３（印刷処理用途のために設計、製造された集積回路）が設けられる。このエンジン制御部４０（エンジン基板）に対して、電源装置１が設けられる。そして、エンジン制御部４０でも、エンジンＣＰＵ４０１、メモリ４０２、ＡＳＩＣ４０３などのデバイス（素子、部品、回路等）を駆動させるうえで必要な電圧が異なる。
【００５６】
そこで、エンジン制御部４０の電源装置１は、１次電源部ＰＷ１が生成する電圧（例えば、ＤＣ５Ｖ）を変換して、複数種の電圧を生成する。そして、生成された複数種の電圧が、エンジン制御部４０内の対応するデバイス（素子、部品、回路等）に与えられる。
【００５７】
又、図３に示すように、例えば、スキャナ制御部２０内には、スキャナＣＰＵ２６、ＲＯＭ２７、ＲＡＭ２８や、ＡＳＩＣ２９（画像読取や画像処理用途のために設計、製造された集積回路）が設けられる。そして、スキャナ制御部２０（スキャナ基板）に対し、電源装置１が設けられる。そして、スキャナ制御部２０でも、スキャナＣＰＵ２６、ＲＯＭ２７、ＲＡＭ２８、ＡＳＩＣ２９等のデバイスを駆動させるうえで必要な電圧が異なる。
【００５８】
そこで、スキャナ制御部２０の電源装置１は、１次電源部ＰＷ１が生成する電圧（例えば、ＤＣ５Ｖ）を変換し、複数種の電圧を生成する。そして、生成された複数種の電圧が、スキャナ制御部２０内の対応するデバイスに与えられる。
【００５９】
又、図３に示すように、例えば、通信部５０内には、通信ＣＰＵ５０１、通信用プログラムを記憶するＲＯＭ５０２、ＲＡＭ５０３や、通信用のドライバＩＣ５０４（通信用チップ）が設けられる。この、通信部５０（通信基板）にも電源装置１が設けられる。そして、通信部５０でも、通信ＣＰＵ５０１、ＲＯＭ５０２、ＲＡＭ５０３、ドライバＩＣ５０４などのデバイス（素子、部品、回路）を駆動させるうえで必要な電圧が異なる。
【００６０】
そこで、通信部５０の電源装置１は、１次電源部ＰＷ１が生成する電圧（例えば、ＤＣ５Ｖ）を変換して、複数種の電圧を生成する。そして、生成された複数種の電圧が、通信部５０内の対応するデバイスに与えられる。
【００６１】
尚、図３を用いた説明は、一例であり、複合機１００内に、他種の基板を設けてもよい（例えば、操作パネル２Ｃに、表示用基板）。又、主制御部５、エンジン制御部４０、スキャナ制御部２０、通信部５０内に、更に別種のデバイスが設けられてもよい。
【００６２】
（電源装置１の構成）
次に、図４を用いて、本発明の実施形態に係る電源装置１の一例を説明する。図４は、本発明の実施形態に係る電源装置１の一例を示すブロック図である。
【００６３】
尚、本説明では、１次電源部ＰＷ１の出力を受ける４つのＤＣＤＣコンバータ１０から４種類の電圧を出力する電源装置１を例に挙げて説明する（１入力４出力）。電源装置１が出力する電圧は、４種類未満でもよいし、５種類以上でもよく、必要な電圧の種類数に応じてＤＣＤＣコンバータ１０が設けられる。
【００６４】
又、例えば、図４に示す電源装置１は、主制御部５のものである。しかし、以下の説明は、主制御部５以外の基板（エンジン制御部４０やスキャナ制御部２０や通信部５０）に設けられ、複数のＤＣＤＣコンバータ１０を含む電源装置１に同様に当てはまる。
【００６５】
基板内の各デバイス（素子、回路、部品等）の駆動用電圧を生成のため、本実施形態の電源装置１内に、複数のＤＣＤＣコンバータ１０が設けられる。そして、図４の説明において、便宜上、最前段から順に、ＤＣＤＣコンバータ１０Ａ（最前段）、ＤＣＤＣコンバータ１０Ｂ（第２段）、ＤＣＤＣコンバータ１０Ｃ（第３段）、ＤＣＤＣコンバータ１０Ｄ（最後段）の符号を付す。
【００６６】
各ＤＣＤＣコンバータ１０Ａ〜１０Ｄには、１次電源部ＰＷ１の出力が入力される（１次電源部ＰＷ１からの配線の図示は省略）。そして、各ＤＣＤＣコンバータ１０Ａ〜１０Ｄには、予め定められた電圧を生成する電圧生成部１１（例えば、チョッパ回路）が設けられる。例えば、電圧生成部１１は、半導体スイッチ、出力すべき電圧にあわせた周期で半導体スイッチのスイッチングを行うコントローラ、ダイオード、コイル、コンデンサ等を組み合わせて構成される
【００６７】
各電圧生成部１１に関し、図４では、ＤＣＤＣコンバータ１０Ａのものには電圧生成部１１Ａと、ＤＣＤＣコンバータ１０Ｂのものには電圧生成部１１Ｂと、ＤＣＤＣコンバータ１０Ｃのものには電圧生成部１１Ｃと、ＤＣＤＣコンバータ１０Ｄのものには電圧生成部１１Ｄの符号を付す。又、図４では、ＤＣＤＣコンバータ１０Ａの出力に「Ｖｏｕｔ１」、ＤＣＤＣコンバータ１０Ｂの出力に「Ｖｏｕｔ２」、ＤＣＤＣコンバータ１０Ｃの出力に「Ｖｏｕｔ３」、ＤＣＤＣコンバータ１０Ｄの出力に「Ｖｏｕｔ４」の符号を付す。
【００６８】
各ＤＣＤＣコンバータ１０Ａ〜１０Ｄには、保護回路として電圧生成部１１の出力を受け、出力電圧の大きさの監視を行うラッチオフ部６が設けられる。各ラッチオフ部６に関し、図４では、ＤＣＤＣコンバータ１０Ａのものにはラッチオフ部６Ａと、ＤＣＤＣコンバータ１０Ｂのものにはラッチオフ部６Ｂと、ＤＣＤＣコンバータ１０Ｃのものにはラッチオフ部６Ｃと、ＤＣＤＣコンバータ１０Ｄのものにはラッチオフ部６Ｄの符号を付す。
【００６９】
各ラッチオフ部６Ａ〜６Ｄは、各電圧生成部１１が出力するとして設定された範囲（正常範囲）の電圧をいったん出力した後、正常範囲外の電圧を出力する異常や、予め定められた規定値よりも大きな電流（過電流）が流れる異常が発生すると、ＤＣＤＣコンバータ１０での電圧の生成を停止させる。
【００７０】
又、各ＤＣＤＣコンバータ１０Ａ〜１０Ｄには、電圧生成部１１の出力を受け、出力監視用の信号であるパワーグッド信号ＰＧを出力するパワーグッド信号出力部７が設けられる。各パワーグッド信号出力部７に関し、図４では、ＤＣＤＣコンバータ１０Ａのものにはパワーグッド信号出力部７Ａと、ＤＣＤＣコンバータ１０Ｂのものにはパワーグッド信号出力部７Ｂと、ＤＣＤＣコンバータ１０Ｃのものにはパワーグッド信号出力部７Ｃと、ＤＣＤＣコンバータ１０Ｄのものにはパワーグッド信号出力部７Ｄの符号を付す。
【００７１】
各パワーグッド信号出力部７Ａ〜７Ｄは、例えば、電圧生成部１１の出力電圧値が、電圧生成部１１が出力すると設定された（設計された）電圧値（規定出力電圧値）の±９〜１０％程度の範囲から外れると、正常範囲外にある旨（Ｌｏｗ）を出力し、範囲内にあると、正常範囲に有る旨（Ｈｉｇｈ）を出力する。図４に示すように、パワーグッド信号出力部７Ａは、パワーグッド信号ＰＧ１を出力する。パワーグッド信号出力部７Ｂは、パワーグッド信号ＰＧ２を出力する。パワーグッド信号出力部７Ｃは、パワーグッド信号ＰＧ３を出力する。パワーグッド信号出力部７Ｄは、パワーグッド信号ＰＧ４を出力する。
【００７２】
各パワーグッド信号出力部７Ａ〜７Ｄは、対応する電圧生成部１１が出力するとして設定された範囲（正常範囲）の電圧を生成しているときと、生成していないときで、異なる信号を出力する。例えば、各パワーグッド信号出力部７Ａ〜７Ｄは、正常範囲の電圧が生成されているとＨｉｇｈを出力し、生成されていないときＬｏｗを出力する。即ち、各ＤＣＤＣコンバータ１０Ａ〜１０Ｄは、出力に異常が生ずるとラッチオフするラッチオフ部６を含み、パワーグッド信号出力部７は、ラッチオフ部６がラッチオフを行うと、正常範囲に無い旨のパワーグッド信号ＰＧを出力する。
【００７３】
又、各ＤＣＤＣコンバータ１０Ａ〜１０Ｄに対応し、ＡＮＤ回路８（論理回路に相当）が設けられる。各ＡＮＤ回路８に関し、図４では、ＤＣＤＣコンバータ１０ＡのものにはＡＮＤ回路８Ａと、ＤＣＤＣコンバータ１０ＢのものにはＡＮＤ回路８Ｂと、ＤＣＤＣコンバータ１０ＣのものにはＡＮＤ回路８Ｃと、ＤＣＤＣコンバータ１０ＤのものにはＡＮＤ回路８Ｄの符号を付す。
【００７４】
各ＡＮＤ回路８Ａ〜８Ｄの一方の入力端子には、電源シーケンス回路９からのイネーブル信号ＥＮがそれぞれ入力される。図４では、ＡＮＤ回路８Ａに対するものにはイネーブル信号ＥＮ１と、ＡＮＤ回路８Ｂのものにはイネーブル信号ＥＮ２と、ＡＮＤ回路８Ｃのものにはイネーブル信号ＥＮ３と、ＡＮＤ回路８Ｄのものにはイネーブル信号ＥＮ４の符号を付す。
【００７５】
ここで、電源シーケンス回路９は、各ＤＣＤＣコンバータ１０Ａ〜１０Ｄを、順番に起動、停止させる回路である。電源シーケンス回路９は、１次電源部ＰＷ１が生成した電圧の供給を受け、各イネーブル信号ＥＮ１〜ＥＮ４のＨｉｇｈ／Ｌｏｗを切り替える動作を行う回路である。
【００７６】
各パワーグッド信号出力部７Ａ〜７Ｃが出力するパワーグッド信号ＰＧ１〜ＰＧ３は、後段のＤＣＤＣコンバータ１０に対応するＡＮＤ回路８Ｂ〜８Ｄに向けて出力される。各ＤＣＤＣコンバータ１０における前段、後段の関係は、パワーグッド信号ＰＧの伝達経路からみて定められる。
【００７７】
又、パワーグッド信号出力部７Ｄが出力するパワーグッド信号ＰＧ４は、フリップフロップ１２（最前段停止部に相当）に入力される。フリップフロップ１２は、複合機１００への主電源投入（メインスイッチＭＳのＯＮ）にともない（フリップフロップ１２の／ＰＲ端子がＨｉｇｈとなるのに伴い）、Ｈｉｇｈを出力する（出力ＱがＨｉｇｈとなる）。
【００７８】
各ＡＮＤ回路８Ａ〜８Ｄは、論理上、入力端子がいずれもＨｉｇｈとなると、Ｈｉｇｈを出力する。各ＡＮＤ回路８Ａ〜８Ｄの出力は、対応するＤＣＤＣコンバータ１０の電圧生成部１１に入力される。従って、各ＤＣＤＣコンバータ１０Ａ〜１０Ｄ（電圧生成部１１Ａ〜１１Ｄ）は、対応するＡＮＤ回路８がＨｉｇｈを出力すると、電圧の生成と出力を行い、Ｌｏｗを出力すると、停止する。
【００７９】
尚、電源シーケンス回路９が、出力異常発生が発生しておらず、通常通り、各イネーブル信号ＥＮ１〜ＥＮ４を立ち下げて、各ＤＣＤＣコンバータ１０Ａ〜１０Ｄを停止させるとき、フリップフロップ１２は、イネーブル信号ＥＮ４の立ち下がりにより、出力ＱをＨｉｇｈとする（詳細は後述）。そのため、フリップフロップ１２の「／ＣＬＲ」端子には、イネーブル信号ＥＮ４が入力され、フリップフロップ１２は、イネーブル信号ＥＮ４の状態を認識する。
【００８０】
又、フリップフロップ１２は、パワーグッド信号ＰＧ４の入力を受ける。そして、各イネーブル信号ＥＮ１〜ＥＮ４がＨｉｇｈのまま、出力異常が生じたとき（詳細は後述）、フリップフロップ１２は、パワーグッド信号ＰＧ４の立ち下がりにより（ＤＣＤＣコンバータ１０Ｄが停止により）、出力ＱをＬｏｗとする。一方、フリップフロップ１２のＬｏｗ出力により、ＤＣＤＣコンバータ１０Ａに対応するＡＮＤ回路８Ａの出力はＬｏｗとなり、ＤＣＤＣコンバータ１０Ｄの停止により、ＤＣＤＣコンバータ１０Ａも停止される。
【００８１】
即ち、各ＤＣＤＣコンバータ１０Ａ〜１０Ｄに対し、論理回路（ＡＮＤ回路８Ａ〜８Ｄ）が設けられ、最前段以外のＤＣＤＣコンバータ１０Ｂ〜１０Ｄに対応する論理回路（ＡＮＤ回路８Ｂ〜８Ｄ）は、前段のＤＣＤＣコンバータ１０のパワーグッド信号ＰＧと、電源シーケンス回路９から出力されるイネーブル信号ＥＮを受け、２つの信号の論理積がとれるとき、対応するＤＣＤＣコンバータ１０を動作させる旨の信号を出力し、論理積がとれないとき、対応するＤＣＤＣコンバータ１０を停止させる旨の信号を出力し、最前段以外のＤＣＤＣコンバータ１０Ｂ〜１０Ｄは、各論理回路（ＡＮＤ回路８Ｂ〜８Ｄ）の出力信号に基づいて動作する。又、主電源投入後、まず最前段のＤＣＤＣコンバータ１０Ａを動作させる旨の信号を、最後段のＤＣＤＣコンバータ１０Ｄのパワーグッド信号ＰＧ４が、正常範囲に有る旨の状態に成った後、正常範囲に無い旨の状態に変化したとき、最前段のＤＣＤＣコンバータ１０Ａを停止させる旨の信号を、最前段のＤＣＤＣコンバータ１０Ａに対応する論理回路（ＡＮＤ回路８Ａ）に出力する最前段停止部（フリップフロップ１２）を有し、最前段のＤＣＤＣコンバータ１０Ａに対応する論理回路（ＡＮＤ回路８Ａ）は、最前段停止部（フリップフロップ１２）の出力信号と、電源シーケンス回路９から出力されるイネーブル信号ＥＮ１を受け、論理積がとれると、ＤＣＤＣコンバータ１０を動作させる旨の信号を出力し、論理積がとれないときＤＣＤＣコンバータ１０を停止させる旨の信号を出力する。
【００８２】
（正常動作時のＤＣＤＣコンバータ１０の動作）
次に、図５を用いて、本発明の実施形態に係る電源装置１の正常動作時（各ＤＣＤＣコンバータ１０Ａ〜１０Ｄで、出力異常が生じていないとき）の動作を説明する。図５は、本発明の実施形態に係る電源装置１の正常動作時の動作の一例を示すタイミングチャートである。尚、本説明でも、図４を用いて説明した４種類の出力電圧（Ｖｏｕｔ１〜Ｖｏｕｔ４）の電源装置１を例に挙げて説明する。
【００８３】
まず、主電源投入に伴い、最前段のＤＣＤＣコンバータ１０Ａが起動する。具体的に、フリップフロップ１２の出力ＱがＨｉｇｈとなり（Ｔ１の時点）、電源シーケンス回路９も、ＤＣＤＣコンバータ１０Ａを起動させるため、イネーブル信号ＥＮ１をＨｉｇｈとする（Ｔ２の時点）。これにより、ＡＮＤ回路８Ａの出力がＨｉｇｈとなり、ＤＣＤＣコンバータ１０Ａが起動する。そして、ＤＣＤＣコンバータ１０Ａの出力電圧が上昇し、正常範囲に収まる電圧を出力すると、ＤＣＤＣコンバータ１０Ａは、Ｈｉｇｈのパワーグッド信号ＰＧ１を出力する（Ｔ３の時点）。
【００８４】
パワーグッド信号ＰＧ１は、次段のＤＣＤＣコンバータ１０Ｂに対応するＡＮＤ回路８Ｂに入力される。又、イネーブル信号ＥＮ２もＨｉｇｈに立ち上がる（Ｔ４の時点）。これにより、ＡＮＤ回路８Ｂの出力がＨｉｇｈとなり、２段目のＤＣＤＣコンバータ１０Ｂが起動する。そして、正常範囲に収まる電圧を出力すると、ＤＣＤＣコンバータ１０Ｂは、Ｈｉｇｈのパワーグッド信号ＰＧ２を出力する（Ｔ５の時点）。
【００８５】
以後、最後段のＤＣＤＣコンバータ１０Ｄまで、同様のシーケンスが繰り返される。簡潔に言うと、パワーグッド信号ＰＧ２は、次段のＤＣＤＣコンバータ１０Ｃに対応するＡＮＤ回路８Ｃに入力される。又、イネーブル信号ＥＮ３もＨｉｇｈに立ち上がる（Ｔ６の時点）。これにより、３段目のＤＣＤＣコンバータ１０Ｃが起動する。そして、ＤＣＤＣコンバータ１０Ｃは、Ｈｉｇｈのパワーグッド信号ＰＧ３を出力する（Ｔ７の時点）。又、パワーグッド信号ＰＧ３は、最後段のＤＣＤＣコンバータ１０Ｄに対応するＡＮＤ回路８Ｄに入力される。又、イネーブル信号ＥＮ４もＨｉｇｈに立ち上がる（Ｔ８の時点）。これにより、３段目のＤＣＤＣコンバータ１０Ｃが起動する。そして、ＤＣＤＣコンバータ１０Ｄは、Ｈｉｇｈのパワーグッド信号ＰＧ４を出力する（Ｔ９の時点）。
【００８６】
まず、最前段のＤＣＤＣコンバータ１０Ａが起動し、その後、前段のＤＣＤＣコンバータ１０のＨｉｇｈ状態のパワーグッド信号ＰＧと、Ｈｉｇｈ状態のイネーブル信号ＥＮの起動しようとするＤＣＤＣコンバータ１０に対応するＡＮＤ回路８への入力により、１段ずつのＤＣＤＣコンバータ１０の起動と、起動したＤＣＤＣコンバータ１０のパワーグッド信号ＰＧのＨｉｇｈへの立ち上がりが繰り返される。
【００８７】
このように、電源装置１に含まれる全てのＤＣＤＣコンバータ１０の順序だてた起動が完了する。尚、ＡＮＤ回路８Ａ〜８Ｄの存在により、前段のＤＣＤＣコンバータ１０でパワーグッド信号ＰＧがＨｉｇｈとなり、次段のＤＣＤＣコンバータ１０のＡＮＤ回路８に伝達されないと、次段のＤＣＤＣコンバータ１０は起動しないので、各イネーブル信号ＥＮ１〜ＥＮ４は、順序さえ守ればよく、任意の時点でＨｉｇｈとしてもよい。又、例えば、電源シーケンス回路９は、各イネーブル信号ＥＮ１〜ＥＮ４をＴ１の時点で一斉にＨｉｇｈとしてもよい。
【００８８】
次に、各ＤＣＤＣコンバータ１０Ａ〜１０Ｄの停止を説明する。本説明では、起動と同じ順序で（１０Ａ→１０Ｂ→１０Ｃ→１０Ｄ）、各ＤＣＤＣコンバータ１０Ａ〜１０Ｄを停止させる例を代表例として説明する。
【００８９】
この順序で停止を行うとき、電源シーケンス回路９は、ＥＮ１→ＥＮ２→ＥＮ３→ＥＮ４の順で、各イネーブル信号ＥＮ１〜ＥＮ４をＬｏｗにする（例えば、一定間隔）。これにより、電源装置１に含まれる全てのＤＣＤＣコンバータ１０は、順序だてて、停止される。
【００９０】
ここで、上述したように、ＤＣＤＣコンバータ１０Ｄの停止のため、イネーブル信号ＥＮ４が立ち下がると、フリップフロップ１２の「／ＣＬＲ」端子に、Ｌｏｗのイネーブル信号ＥＮ４が入力される。これにより、フリップフロップ１２の出力Ｑは、Ｈｉｇｈとなる。具体的に、図５に示すように、イネーブル信号ＥＮ４の立ち下がりにより、パワーグッド信号ＰＧ４がＬｏｗに成ったとしても、フリップフロップ１２の出力ＱはＨｉｇｈで維持される（Ｔ１６〜Ｔ１８の時点）。
【００９１】
このように、電源シーケンス回路９の制御により、各イネーブル信号ＥＮ１〜ＥＮ４を立ち下げて、通常の全ＤＣＤＣコンバータ１０Ａ〜１０Ｄの停止が行われると、出力Ｑは、Ｈｉｇｈで維持される。そのため、ＡＮＤ回路８Ａの入力端子の一方は、Ｈｉｇｈで維持される。従って、任意の時点で、電源シーケンス回路９は、各ＤＣＤＣコンバータ１０Ａ〜１０Ｄを予め定められた順序（１０Ａ→１０Ｂ→１０Ｃ→１０Ｄ）で、再起動することができる。
【００９２】
（出力異常発生時の各ＤＣＤＣコンバータ１０の動作）
次に、図６を用いて、本発明の実施形態に係る電源装置１の出力異常発生時の動作を説明する。図６は、本発明の実施形態に係る電源装置１の出力異常発生時の動作の一例を示すタイミングチャートである。尚、本説明でも、図４を用いて説明した４種類の出力電圧（Ｖｏｕｔ１〜Ｖｏｕｔ４）の電源装置１を例に挙げて説明する。
【００９３】
各ＤＣＤＣコンバータ１０Ａ〜１０Ｄでは、故障などにより、出力異常が生じ得る。出力異常が生ずると、各ＤＣＤＣコンバータ１０Ａ〜１０Ｄのラッチオフ部６Ａ〜６Ｄは、出力を停止させる。これにより、出力異常が生じたＤＣＤＣコンバータ１０から電力供給を受けるデバイスの故障、破損、ショートは防がれる。
【００９４】
しかし、基板全体としてみると、電源装置１に含まれるＤＣＤＣコンバータ１０のうち１系統でも停止すると、全てのＤＣＤＣコンバータ１０を停止させた方が好ましい。
【００９５】
例えば、ＣＰＵにコア用の駆動電圧とＩ／Ｏ用の駆動電圧を与えるとき、例えば、コアに電圧が印加されていない状態でＩ／Ｏを動作させると、電流が流れてはいけない方向に流れることや、ＣＰＵから異常な信号が出力されることがある。これは、故障や誤動作の原因となり得る。そのため、ＣＰＵに関し、起動時はコア用の駆動電圧から供給し、停止時はＩ／Ｏ用の駆動電圧から切断することが推奨される場合がある。
【００９６】
又、電力供給を受けたままのデバイス（チップやＣＰＵ等）からの信号が、ＤＣＤＣコンバータ１０の異常で停止したデバイスに入力されることがある。このような電力回り込みによって、誤動作や故障が、デバイスで発生する場合もある。
【００９７】
そこで、図６を用いて一部のＤＣＤＣコンバータ１０で過電流や、過電圧や出力電圧ドロップ等の異常が生じた場合の本実施形態の電源装置１の動作を説明する。本説明では、２段目のＤＣＤＣコンバータ１０Ｂで出力異常が生じたときの動作を述べる。尚、何れかのＤＣＤＣコンバータ１０で出力異常が生じたとき、各ＤＣＤＣコンバータ１０Ａ〜１０Ｄを動作させている状態である。そのため、図６には、図示をしないが、電源シーケンス回路９は、Ｈｉｇｈの各イネーブル信号ＥＮ１〜ＥＮ４を出力している。
【００９８】
まず、図６において、主電源投入後、各ＤＣＤＣコンバータ１０Ａ〜１０Ｄが順に起動する点は、図５と同様である（Ｔ１〜Ｔ９）。そして、ＤＣＤＣコンバータ１０Ｂで出力電圧Ｖｏｕｔ２の異常が生ずると、ラッチオフ部６Ｂが動作し、ＤＣＤＣコンバータ１０Ｂ（電圧生成部１１Ｂ）は停止される。これにより、ＤＣＤＣコンバータ１０Ｂの出力電圧Ｖｏｕｔ２は降下する（Ｔ２０の時点）。又、パワーグッド信号ＰＧ２は、ＤＣＤＣコンバータ１０Ｂの出力が正常範囲内ではない旨を知らせるため、立ち下がる（Ｌｏｗとなる）（Ｔ２１の時点）
【００９９】
Ｌｏｗとなったパワーグッド信号ＰＧ２が、次段のＤＣＤＣコンバータ１０Ｃに対応するＡＮＤ回路８Ｃに入力される。これにより、ＤＣＤＣコンバータ１０Ｃの出力電圧Ｖｏｕｔ３も降下を始める（Ｔ２２の時点）。又、パワーグッド信号ＰＧ３は、ＤＣＤＣコンバータ１０Ｃの出力が正常範囲内ではない旨を知らせるため、立ち下がる（Ｌｏｗとなる）（Ｔ２３の時点）
【０１００】
更に、Ｌｏｗとなったパワーグッド信号ＰＧ３が、次段のＤＣＤＣコンバータ１０Ｄに対応するＡＮＤ回路８Ｄに入力される。これにより、ＤＣＤＣコンバータ１０Ｄの出力電圧Ｖｏｕｔ４も降下を始める（Ｔ２４の時点）。又、パワーグッド信号ＰＧ４は、ＤＣＤＣコンバータ１０Ｄの出力が正常範囲内ではない旨を知らせるため、立ち下がる（Ｌｏｗとなる）（Ｔ２５の時点）。
【０１０１】
パワーグッド信号ＰＧ４は、フリップフロップ１２に入力される。フリップフロップ１２は、パワーグッド信号ＰＧ４（最後段のパワーグッド信号ＰＧ）が立ち下がると、Ｌｏｗを出力する（Ｔ２６の時点）。そして、フリップフロップ１２の出力は、最前段のＤＣＤＣコンバータ１０Ａに対応するＡＮＤ回路８Ａに入力される。ＡＮＤ回路８ＡがＬｏｗを出力することになり、これにより、ＤＣＤＣコンバータ１０Ａの出力電圧Ｖｏｕｔ１も降下を始める（Ｔ２７の時点）。そして、ＤＣＤＣコンバータ１０Ａのパワーグッド信号ＰＧ１もＬｏｗとなる（Ｔ２８の時点）。
【０１０２】
即ち、本発明に係る電源装置１、画像形成装置は、出力電圧が正常範囲に有るか否かを示すパワーグッド信号ＰＧを出力するパワーグッド信号出力部７を有する複数のＤＣＤＣコンバータ１０と、予め定められた起動順序及び停止順序に基づき、各ＤＣＤＣコンバータ１０の起動、停止を行う電源シーケンス回路９と、を含み、最前段以外のＤＣＤＣコンバータ１０Ｂ〜１０Ｄは、前段のＤＣＤＣコンバータ１０のパワーグッド信号ＰＧの状態が、正常範囲に有る旨の状態になると、起動し、正常範囲に無い旨の状態になると、電圧出力を停止し、最前段のＤＣＤＣコンバータ１０Ａは、電源シーケンス回路９の指示に基づき起動し、最後段のＤＣＤＣコンバータ１０Ｄのパワーグッド信号ＰＧ４が、正常範囲に有る旨の状態から正常範囲に無い旨の状態に遷移すると電圧出力を停止する
【０１０３】
各パワーグッド信号ＰＧ１〜ＰＧ３を後段に向けて出力すると、出力異常が生じたＤＣＤＣコンバータ１０よりも後段のＤＣＤＣコンバータ１０（本説明では、ＤＣＤＣコンバータ１０Ｂ〜１０Ｄ）であれば、一段ずつ停止してゆく。しかし、パワーグッド信号ＰＧを後段に伝達してゆくだけであれば、出力異常が生じたＤＣＤＣコンバータ１０よりも前段のＤＣＤＣコンバータ１０（本説明では、ＤＣＤＣコンバータ１０Ａ）は、動作したままとなる。
【０１０４】
しかし、本実施形態の電源装置１、複合機１００では、最前段以外のＤＣＤＣコンバータ１０が出力異常で停止したとき、フリップフロップ１２によって、最前段のＤＣＤＣコンバータ１０Ａも停止される。具体的に、出力異常発生時、各イネーブル信号ＥＮ１〜ＥＮ４は、Ｈｉｇｈのまま（各ＤＣＤＣコンバータ１０Ａ〜１０Ｄを動作させる状態のまま）である。そのため、フリップフロップ１２は、パワーグッド信号ＰＧ４の立ち下がりとともに、出力ＱをＬｏｗとする（Ｔ２６の時点）。これにより、ＤＣＤＣコンバータ１０Ａに対応するＡＮＤ回路８Ａの出力はＬｏｗとなり、ＤＣＤＣコンバータ１０Ｄが停止により、ＤＣＤＣコンバータ１０Ａも停止される（Ｔ２７、Ｔ２８の時点）。このように、電源装置１に含まれるＤＣＤＣコンバータ１０の全てが確実に停止し、フリップフロップ１２は、最前段のＤＣＤＣコンバータ１０Ａを停止させる最前段停止部として機能する。
【０１０５】
（基板間の異常検知）
次に、図２に基づき、基板間での異常検知の一例を説明する。
【０１０６】
図２に示すように、本実施形態では、主制御部５、エンジン制御部４０、スキャナ制御部２０を含む画像読取部２Ａ、通信部５０等がバス等によって相互に通信可能とされる。
【０１０７】
そして、本実施形態の主制御部５、エンジン制御部４０、スキャナ制御部２０、通信部５０等の各基板は、本発明に係る電源装置１を有する。そのため、電源装置１に含まれるＤＣＤＣコンバータ１０のうち、１つでも出力異常があれば、全てのＤＣＤＣコンバータ１０が停止する。これにより基板全体が停止する。そうすると、停止した基板とは通信できなくなる。
【０１０８】
そのため、主制御部５、エンジン制御部４０、スキャナ制御部２０、通信部５０等のいずれかの基板は、通信できなくなった基板で異常が生じたことを検知する。この検知により、操作パネル２Ｃにて異常発生を報知（表示）してもよいし、通信部５０から外部のコンピュータ２００やサーバに異常発生の旨を送信させてもよい。尚、基板で異常が生じたことの検知は、全ての基板が行わず、主制御部５（主制御基板）のみが行うようにしてもよい。即ち、画像形成装置（例えば、複合機１００）は、本発明に係る電源装置１を含む基板（主制御部５、エンジン制御部４０、スキャナ制御部２０、通信部５０等）を複数含み、各基板は、いずれかの基板と通信可能に接続され、通信可能に接続された基板と通信できなくなったとき、通信できなくなった基板の異常を検知する。
【０１０９】
このようにして、本発明によれば、最前段以外のＤＣＤＣコンバータ１０Ｂ〜１０Ｄは、前段のＤＣＤＣコンバータ１０のパワーグッド信号ＰＧの状態が、正常範囲に無い旨の状態になると、電圧出力を停止し、最前段のＤＣＤＣコンバータ１０Ａは、最後段のＤＣＤＣコンバータ１０Ｄのパワーグッド信号ＰＧ４が、正常範囲に有る旨の状態から正常範囲に無い旨の状態に遷移すると電圧出力を停止する。これにより、電源装置１内のいずれかのＤＣＤＣコンバータ１０で出力異常が生じると、一段ずつ停止し、最後段に至ると最前段に戻り、１段ずつ停止してゆく。従って、最終的に、全てのＤＣＤＣコンバータ１０が停止し、一部のＤＣＤＣコンバータ１０が停止しても他のＤＣＤＣコンバータ１０が動作し続けることによるデバイスの誤動作や破損を防ぐことができる。
【０１１０】
更に、いずれかのＤＣＤＣコンバータ１０で出力異常が発生したとき、ソフトウェア的な制御によってではなく、電源装置１内のハードウェア構成に基づき、全てのＤＣＤＣコンバータ１０を停止させることができる。例えば、暴走、故障等によりソフトウェア的な制御が無効な状態でも、安全、確実に全てのＤＣＤＣコンバータ１０を停止させることができる。尚、各ＤＣＤＣコンバータ１０における「前段」、「後段」の関係は、パワーグッド信号ＰＧの伝達経路からみて定められたものである。
【０１１１】
又、パワーグッド信号出力部７は、ラッチオフ部６がラッチオフを行うと、正常範囲に無い旨のパワーグッド信号ＰＧを出力する。これにより、ＤＣＤＣコンバータ１０は、過電圧（過電流）や出力停止など、出力異常が生ずると、出力を停止し、ＤＣＤＣコンバータ１０から電力を受けて動作するデバイスを保護することができる。又、出力電圧が正常範囲に無い旨のパワーグッド信号ＰＧが出力されることにより、１段ずつ全てのＤＣＤＣコンバータ１０の出力を停止させることができる。
【０１１２】
又、最前段以外のＤＣＤＣコンバータ１０Ｂ〜１０Ｄに対応する論理回路（ＡＮＤ回路８Ｂ〜８Ｄ）は、前段のＤＣＤＣコンバータ１０のパワーグッド信号ＰＧと、電源シーケンス回路９から出力されるイネーブル信号ＥＮを受け、２つの信号の論理積がとれるときＤＣＤＣコンバータ１０を動作させる旨の信号を出力し、論理積がとれないときＤＣＤＣコンバータ１０を停止させる旨の信号を出力する。これにより、全てのＤＣＤＣコンバータ１０の出力に異常がなく、予め定められた順番で通常どおり各ＤＣＤＣコンバータ１０の起動、遮断を行えばよいとき、誤動作やデバイスの破損がないように、電源シーケンス回路９は、各ＤＣＤＣコンバータ１０の起動／停止を行える。
【０１１３】
又、最前段のＤＣＤＣコンバータ１０Ａに対応する論理回路（ＡＮＤ回路８Ａ）は、最前段停止部（フリップフロップ１２）の出力信号と、電源シーケンス回路９から出力されるイネーブル信号ＥＮ１を受け、論理積がとれると、ＤＣＤＣコンバータ１０を動作させる旨の信号を出力し、論理積がとれないときＤＣＤＣコンバータ１０を停止させる旨の信号を出力する。これにより、いずれかのＤＣＤＣコンバータ１０の出力異常で、最後段のＤＣＤＣコンバータ１０が停止すると、最前段のＤＣＤＣコンバータ１０Ａに戻り、最前段のＤＣＤＣコンバータ１０Ａから順に、停止してゆく。従って、確実に全てのＤＣＤＣコンバータ１０が停止される。
【０１１４】
又、最前段停止部（フリップフロップ１２）は、フリップフロップ１２である。これにより、最前段停止部（フリップフロップ１２）は、ハードウェアであって、簡易、安価、堅牢なフリップフロップ１２とされる。従って、一部のＤＣＤＣコンバータ１０で出力異常があったとき、確実に全てのＤＣＤＣコンバータ１０を停止させるようにすることができる。
【０１１５】
又、画像形成装置（例えば、複合機１００）は、上述の電源装置１を含む。これにより、いずれかのＤＣＤＣコンバータ１０で出力異常が生じても、一段ずつ停止し、最後段に至ると最前段から１段ずつ停止してゆき、最終的に、全てのＤＣＤＣコンバータ１０が停止する電源装置１を含ませることができる。従って、電源装置１のＤＣＤＣコンバータ１０が生成する電圧で駆動する基板やデバイスの誤動作や破損のない画像形成装置（例えば、複合機１００）を提供することができる。
【０１１６】
又、各基板（主制御部５、エンジン制御部４０、スキャナ制御部２０、通信部５０等）は、いずれかの基板と通信可能に接続され、通信可能に接続された基板と通信できなくなったとき、通信できなくなった基板の異常を検知する。これにより、電源装置１の一部に異常があり、全体が停止した基板の異常を検知することができる。これにより、故障要因を容易に特定でき、修理、点検しやすい画像形成装置（例えば、複合機１００）を提供することができる。
【０１１７】
以下、別実施形態について説明する。上述の実施形態では、電源装置１にＤＣＤＣコンバータ１０が４つ搭載される例を示したが、３つ未満でもよいし、５つ以上、１つの電源装置１にＤＣＤＣコンバータ１０が搭載されてもよい。この場合、各段数が増減するだけで、前段のパワーグッド信号ＰＧに基づき、次段のＤＣＤＣコンバータ１０が起動する点、最終段（最後段）のＤＣＤＣコンバータ１０の出力停止に伴い、フリップフロップ１２（最前段停止部）によって最前段（先頭段）のＤＣＤＣコンバータ１０が停止させられる点は同様とする。
【０１１８】
又、本発明の実施形態を説明したが、本発明の範囲はこれに限定されるものではなく、発明の主旨を逸脱しない範囲で種々の変更を加えて実施することができる。
【産業上の利用可能性】
【０１１９】
本発明は、複数のＤＣＤＣコンバータ１０を含む電源装置１と、この電源装置１を備えた画像形成装置に利用可能である。
【符号の説明】
【０１２０】
１００    複合機（画像形成装置）          １        電源装置
６（６Ａ、６Ｂ、６Ｃ、６Ｄ）      ラッチオフ部
７（７Ａ、７Ｂ、７Ｃ、７Ｄ）      パワーグッド信号出力部
８（８Ａ、８Ａ、８Ｃ、８Ｄ）      ＡＮＤ回路（論理回路）
９        電源シーケンス回路              １０      ＤＣＤＣコンバータ
１０Ａ    ＤＣＤＣコンバータ（最前段）
１０Ｂ    ＤＣＤＣコンバータ（２段目）
１０Ｃ    ＤＣＤＣコンバータ（３段目）
１０Ｄ    ＤＣＤＣコンバータ（最後段）
１２    フリップフロップ（最前段停止部）
５      主制御部（基板）                  ２０    スキャナ制御部（基板）
４０    エンジン制御部（基板）            ５０    通信部（基板）
ＥＮ（ＥＮ１、ＥＮ２、ＥＮ３、ＥＮ４）    イネーブル信号
ＰＧ（ＰＧ１、ＰＧ２、ＰＧ３、ＰＧ４）    パワーグッド信号
Ｖｏｕｔ（Ｖｏｕｔ１、Ｖｏｕｔ２、Ｖｏｕｔ３、Ｖｏｕｔ４）    出力電圧
【図１】
0005565960.tif 000002
【図２】
0005565960.tif 000003
【図３】
0005565960.tif 000004
【図４】
0005565960.tif 000005
【図５】
0005565960.tif 000006
【図６】
0005565960.tif 000007